(57)【要約】      （修正有）【課題】材料の無駄を省き２次加工をすること無く、平織りの方法で円形状や扇型状の布地を織成できる織機を提供する。【解決手段】経糸をそれぞれ独立して経糸ビームより送り出し可能とし、クロスビームの外周面を略円錐形状となすと共に、織成される布地の横幅方向における各経糸が略円錐形状の所定の円周比でクロスビームに巻き取られるように形成し、支持枠体にクロスビームを経糸の張設方向と直交する方向に軸支してなる。【選択図】図１
0003160596.tif 000002
【実用新案登録請求の範囲】
【請求項１】
経糸が巻き付けられた経糸ビームと、織成された布地を巻き取るクロスビームと、経糸ビームとクロスビーム間に張られた経糸間に緯糸を通すための杼が通る隙間を開けるための綜絖と、綜絖を上下動させ経糸の隙間を開口させる操作体と、経糸を横幅方向に整列配置すると共に通った緯糸を経糸に打ち込むための筬と、クロスビームを支持する支持枠体と、クロスビームが布地の巻き取りと逆方向に回転しないように制動する制動部とを備えてなる織機において、
経糸をそれぞれ独立して経糸ビームより送り出し可能とし、クロスビームの外周面を略円錐形状となすと共に、織成される布地の横幅方向における各経糸が略円錐形状のクロスビームに巻き取られるように形成し、クロスビームを支持枠体に経糸の張設方向と直交する方向に軸支してなることを特徴とする織機。
【請求項２】
前記経糸ビームが経糸を巻き付け可能な多数のボビンで形成され、このボビンを多数立設可能とし、立設された多数のボビンの近傍にボビンからの経糸を通す網目を多数形成した経糸整列体を設け、この経糸整列体と前記綜絖との間に経糸の張り度合いを調節する調整体と経糸を横幅方向に一列に整列する第二の経糸整列体とを設けてなることを特徴とする請求項１記載の織機。
【考案の詳細な説明】
【技術分野】
【０００１】  本考案は、円形状や扇形状の布地を織成するための手織りの織機に関するものである。
【背景技術】
【０００２】  従来、手織りの織機は、経糸と緯糸とを交互に組み合わせて一定幅の平織りの布地を織成するように構成されている（例えば、特許文献１）。【０００３】  この平織りの織機では長手方向と幅方向の比率が一定幅の布地が得られるものの、織成された布地自体は長尺ものがあり、例えば用途としてポンチョや円形の敷物、花瓶敷などのように円形状や扇形状の製品に加工する際に、この平織りの布地を使用する場合は、所要の形状に切断する必要があるため布地の無駄を生じることになり、また裁断の端部がほつれないように、まつり縫いや、かがり縫いなどの縫製の二次加工をおこなわねばならないものであり、手間がかかるものであった。また、円形状や扇形状の布地を得るためには、幅広に織成された布地を裁断していたために柄や色彩、模様等が布地の輪郭に見合わず風合いに乏しく、デザイン性に欠けるものであった。【０００４】  一方、円盤状や扇形状の布地を織成するための特殊な手織機も存在する（例えば、特許文献２）
【先行技術文献】
【特許文献】
【０００５】
【特許文献１】実開昭６２−５５５８５号公報
【特許文献２】特開昭５４−３４４６８号公報
【考案の概要】
【考案が解決しようとする課題】
【０００６】  しかしながら、円形状や扇形状の布地を織成するためのこの特殊な手織機では、従来の一般的な平織りの織成ではなく、放射線状に配置した経糸に緯糸が上下に挟持して編みながら、経糸一本ごとに緯糸を経糸の上下に組み合わせて布地を織成するものである。【０００７】  この特殊な手織機では、平織りの如く一般的な織り方でなく、非常に手間や時間がかかり、この織り方には熟練を要することになると共に、経糸が放射線状に配置されているので、織成された円盤状や扇形状の外側にいくほど経糸の間隔が広くなり、布地としての風合いに乏しく、デザイン性に欠けるものであった。【０００８】  本考案は、以上のような従来の欠点に鑑み、材料の無駄を省くと共に切断面の２次加工をすること無く、従来の平織りの方法で円形状や扇型状の布地を織成できる織機を提供することを目的としている。
【課題を解決するための手段】
【０００９】  本考案の請求項１の織機は、経糸が巻き付けられた経糸ビームと、織成された布地を巻き取るクロスビームと、経糸ビームとクロスビーム間に張られた経糸間に緯糸を通すための杼が通る隙間を開けるための綜絖と、綜絖を上下動させ経糸の隙間を開口させる操作体と、横幅方向に整列配置し通った緯糸を経糸に打ち込むための筬と、クロスビームを支持する支持枠体と、クロスビームが布地の巻き取りと逆方向に回転しないように制動する制動部とを備えてなる織機において、経糸をそれぞれ独立して経糸ビームより送り出し可能とし、クロスビームの外周面を略円錐形状となすと共に、織成される布地の横幅方向における各経糸が略円錐形状のクロスビームに巻き取られるように形成し、クロスビームを支持枠体に経糸の張設方向と直交する方向に軸支してなることを特徴とする。【００１０】  また、本考案の請求項２の織機では、経糸ビームが経糸を巻き付け可能な多数のボビンで形成され、このボビンを多数立設可能とし、立設された多数のボビンの近傍にボビンからの経糸を通す網目を多数形成した経糸整列体を設け、この経糸整列体と綜絖との間に経糸の張り度合いを調節する調整体と経糸を横幅方向に一列に整列する第二の経糸整列体とを設けてなることを特徴とする。
【考案の効果】
【００１１】  本考案の請求項１の織機によれば、一般的な平織りの織り方で円形状や扇形状の布地を簡単に織成することが可能であり、そして、裁断することなくまた裁断面の２次加工をすることなく円形状や扇形状の布地を織成できるので、材料の無駄を省くと共に手間なく円形状や扇型状の布地を織成できる。【００１２】  本考案の請求項２の織機によれば、経糸の送り出しや経糸の整列が簡単にでき、円形状や扇型状の布地が容易に織成できるものである。
【図面の簡単な説明】
【００１３】
【図１】  本考案の一実施形態による織機を示す概略斜視図である。
【図２】  図１の本考案の織機を織る側からみた側面図である。
【図３】  本考案の織機で織成されている布地の説明図である。
【考案を実施するための形態】
【００１４】  以下、図面を参照して、本考案の円形状や扇形状の布地を織成するための手織りの織機Ａの実施形態について説明する。図１は本考案の全体概略図であり、図１に示される本考案の織機Ａは、経糸ビーム１、クロスビーム２、杼３、綜絖４、操作部５、筬６、支持枠体７及び制動部１３を備えており、各々の構成要素は適宜、図示しない枠体等に支持されているものである。
【００１５】  経糸ビーム１は、布地Ｄの所定の幅方向に応じた本数の経糸Ｂを巻き付け保持するものであって、独立した多数のボビン１１、１１、・・・とボビン支持体８で形成されている。即ち、経糸Ｂの所定の本数の応じたボビン１１が多数設けられていることになり、布地Ｄが織成されるにつれてボビン１１、１１、・・・から経糸Ｂがそれぞれ独立して送り出し可能のように形成されている。送り出される経糸Ｂの先端はクロスビーム２に結びつけられており、経糸ビーム１のボビン１１とクロスビーム２との間に経糸Ｂが張られることになる。
【００１６】  ボビン１１は、筒体１１１で形成されており、筒体１１１に経糸Ｂが巻かれる。ボビン支持体８はボビン１１を多数立設可能なものである。ボビン支持体８には、ボビン立設ピン８１、８１、・・・が碁盤目状に多数設けられており、ボビン立設ピン８１にボビン１１の筒体１１１の開口部分が差し込まれてボビン１１が立設されることになる。
【００１７】  ボビン１１が立設されているボビン支持体８の上方には、網目９１、９１、・・が多数形成されている経糸整列体９が配設されており、ボビン１１から送り出される経糸Ｂが各網目９１の開口部分に通されて、各経糸Ｂが絡まないように整列され、経糸Ｂがスムーズに送り出し可能となっている。図１に示されるように、ボビン１１から送り出される経糸Ｂは経糸整列体９の網目９１を通ってクロスビーム２方向に曲げられることになり、経糸Ｂが経糸整列体９によって制動されて、経糸Ｂの張設することに役立っている。
【００１８】  経糸整列体９にて整列された経糸Ｂは、次に、経糸Ｂの張り度合いを調節するための調整体１０に通される。調整体１０は波形状板体１０１と挟持支持板体１０２とで形成されており、波形状板体１０１と挟持支持板体１０２と間隙を調節して、この間隙に通された経糸Ｂの張り度合いを調節する。間隙を調整するのは、ネジと締め付けナットと押え部でなる調節治具１０３であり、ネジの締め付け度合いを調節することで、経糸Ｂの張り度合いを調節する。調節治具１０３は横幅方向に複数配置されており、経糸Ｂ全体の張り度合いを均等に調節できる。また、経糸Ｂを傷めないために、波形状板体１０１と挟持支持板体１０の間に緩衝体を設けてもよいものである。
【００１９】  調整体１０からの経糸Ｂは、経糸Ｂを第二の経糸整列体１２に通される。第二の経糸整列体１２には、横幅方向に一列に半輪状の整列網目部１２１、１２１、・・・が形成されており、この整列網目１２１に所定の本数の経糸Ｂを通して、各経糸Ｂを横幅方向に一列に整列することになる。経糸整列体９からの経糸Ｂは、調整体１０と第二の経糸整列体１２とに通されることにより、織られる布地Ｄの横幅方向の横一列に整列され、さらに経糸Ｂの張り度合いが調整されることになる。尚、整列網目部１２１に通す本数は、１本でも複数本でも構わないものである。
【００２０】  第二の経糸整列体１２にて整列された経糸Ｂは、綜絖４に通される。綜絖４は、経糸ビーム１とクロスビーム２間に張られた経糸Ｂ間に緯糸Ｃを通すための杼３が通る隙間を開けるためのものであり、一対の綜絖部４０、４０にて形成され、綜絖部４０、４０を同時に上下反対方向に上下動させて経糸Ｂ同士の隙間を開口させることになる。綜絖部４０は、経糸Ｂを通す目４０１が多数形成されている。
【００２１】  綜絖部４０、４０を上下動するには、操作体５によってなされる。操作体５は、一対の踏み板５０、５０にて構成されてなる。踏み板５０の一方の端部を支持枠体７に回動自在になるように軸支され、踏み板５０の他方の端部が上下動できるようになっている。踏み板５０、５０の他方の端部から綜絖部４０、４０の下端に連結する連結紐５１、５１がそれぞれ設けられている。一方の綜絖部４０の上端から他方の綜絖部４０の上端にかけて連結する上下動連結紐４２、４２が横幅方向の左右にそれぞれ設けられている。この上下動連結紐４２、４２は、綜絖４の上方に配置された回動シャフト４１に巻きつけられている。
【００２２】  綜絖部４０、４０を上下動させるには、操作体５の踏み板５０、５０の一方を足にて下方に押し下げると、連結紐５１に連結されている一方の綜絖部４０が下方に移動し、上下動連結紐４２、４２にて連結されている他方の綜絖部４０が上方に移動して、経糸Ｂが上下に分けられて、張られた経糸Ｂ間に緯糸Ｃを通すための杼３が通る隙間が開けられるものである。そして、その経糸Ｂの隙間に緯糸Ｃを通し筬６で緯糸Ｃを打ち込んだ後、他方の踏み板５０を踏み、綜絖部４０、４０を上下移動させ、経糸Ｂを上下に分けて、その間を緯糸Ｃが通ることができるように隙間を開口し、この隙間に緯糸Ｃを通して筬６で打ち込む。この動作を繰り返して織物の布地が織られることになる。
【００２３】  筬６は、筬枠体に薄片を櫛の歯のように配設して目６１、６１、・・・が多数形成されているものであり、織られる布地Ｄの横幅と経糸Ｂを整えながら、杼３で通された緯糸Ｃを押さえて織り目の密度を決めるものである。図示しない支持枠体に軸支される回動体６２、６２にて筬６が、図１の矢印方向Ｒに移動自在になっており、この矢印方向Ｒのクロスビーム２側に移動させて横幅方向に通った緯糸Ｃを経糸Ｂに打ち込むものである。筬６は竹製、木製や金属製のもので形成される。
【００２４】  杼３は、綜絖４によって開口された経糸Ｂの隙間に緯糸Ｃを横幅方向に通して配置するものであり、緯糸Ｃを紡錘型に巻いた小管が杼３の中にセットされている。
【００２５】  クロスビーム２は、織成された布地Ｄを巻き取るものであり、支持枠体７に回動自在に軸支され、布地Ｄを巻取るクロスビーム２の外周面は略円錐形状に形成されている。図２に示されるように、クロスビーム２外周面に巻き取られる位置における布地Ｄの横幅方向が、横幅方向に整列されている経糸Ｂの張設方向と略直交するようになり、そして、略平行となるように配置されるものであり、クロスビーム２が支持枠体７に回転可能に傾斜して軸支されているものである。
【００２６】  クロスビーム２は、中心に回転軸２０が設けられ、この回転軸２０の両端付近に第１の回転板２１と第２回転板２２が固定されている。第１の回転板２１は第２回転板２２より小さく形成され、第１の回転板２１と第２回転板２２とは織成する布地の所定円形や扇形状の内外の円周比率に応じて大きさが形成されている。第１の回転板２１の外周縁部分と第２回転板２２の外周縁部分との間に、複数の連結体２３、２３、・・・が周方向で略均等に架設されている。この複数の連結体２３、２３、・・・が配置されることによって、クロスビーム２の外周面が略円錐形状に形成されることになる。この連結体２３に経糸Ｂの端を結びつけて取着することで、経糸Ｂが経糸ビーム１とクロスビーム２との間に張設されることになる。すなわち、織成される布地の横幅方向における各経糸は、略円錐形状の所定の円周比でクロスビームに巻き取られるようになり、クロスビーム２には扇形状に織成された布地が巻きつけられることになる。クロスビーム２は、支持枠体７に経糸Ｂの張設方向と直交する方向で回動可能に軸支してされている。
【００２７】  クロスビーム２の回転軸２０は、支持枠体７に設けられた軸受７０、７０にて回転可能になるものである。クロスビーム２には、布地Ｄの巻き取りと逆方向に回転しないように制動する制動体１３が設けられている。制動体１３は、ラチェット等の反逆転防止機構を採用されている。
【実施例】
【００２８】  クロスビーム２外周面の略円錐形状は、例えば、第１の回転板２１の円周長を２５ｃｍ、第２の回転板２２の円周長を１００ｃｍの１：４の比率にて形成されるものである。図３に示されるように、第１の回転板２１側の布地Ｄの内側位ｓにおける緯糸Ｃの本数を５本、第２の回転板２２側の布地Ｄの外側位置における緯糸Ｃの本数を２０本程度、そして、横幅ｗｏの約１／４間隔となる布地Ｄの各中間点ｔ、ｕ、ｖにおける緯糸Ｃの本数を、それぞれ９〜１０本、１２〜１３本、１６〜１７本とするような比率にして緯糸Ｃを途中で外径側に折り返して織り込めば、上記所望する略円形状あるいは略扇形状の布地Ｄを織成することができることになる。クロスビーム２の巻取り１回転では、内側位置ｓでも、外側位置ｗにおいても一回転となり、扇形状の布地Ｄが織成され、織成された布地Ｄは、帯状の湾曲した長尺状の織物となり、所定長さで扇形状となり、この扇形状を一周させれば、円形状の織物となるものである。また、途中で緯糸Ｃを折り返す際には、同じ位置で折り返すと際立つので、近い位置で目立ちにくいように折り返す位置をずらしながら折り返すと良いものである。【００２９】  少し織ったら巻取り、それを繰り返しながら、布地Ｄが織成される。経糸Ｂは、内径と外径の位置では、その使用される長さが相違するので、その使用量に応じて、経糸ビーム１の各ボビン１１からそれぞれ独立して送り出されるようにしてある。【００３０】  本考案の織り方は、次の３つが織機の基本的な動作となっており、これを何度も繰り返して織物である布地が完成される。この動作は、一般的な平織りの織り方と変わらないものである。
１）操作体５の踏み板５０を踏み、経糸Ｂを上下に分けて、その間を一気に緯糸Ｃが通ることができるよう開口する。
２）開口した経糸Ｂの間に、杼３につないだ緯糸Ｃを入れて反対側へ届かせるか、円形状や扇形状に合わした比率に応じて途中で折り返す。
３）通った緯糸Ｃを筬６でクロスビーム２側へ打ち、経糸Ｂと緯糸Ｃを組み込む。そして、織り終わった布地Ｄを手前のクロスビーム２で巻き取る。【００３１】  本考案の経糸Ｂの張り度合いを調節する調整体１０は、波形状板体１０１と挟持支持板体１０２とで挟持する形態でなくてもよく、経糸Ｂの張り度合いを調節するためのものに適宜変形可能であり、経糸ビーム１のボビン１１側に設けてもよいものである。すなわち、調整体１０と第二の経糸整列体１２との配置順番は、経糸Ｂの張設方向に前後してもよいものであり、経糸整列体９にて整列された経糸Ｂを第二の経糸整列体１２にて整列し、調整体１０に通してもよい。また、操作体５の足踏み板５０の形態でなくてもよく、手で上下動が操作できるタイプのものであってもよい。【００３２】  クロスビーム２の第１の回転板２１と第２回転板２２は、図１の実施例では円形であるが、例えば、正多角形（例えば正８角形）に形成して、その辺部分に複数の連結体２３，２３、・・・を架設すれば、容易にクロスビーム２の外周面が略円錐形状に形成することができる。【００３３】  経糸Ｂの隙間を開口する際、経糸Ｂと緯糸Ｃが交互に組み合わさるように（平織）、経糸Ｂが１本おきに上下するのがもっとも単純なパターンであるが、斜文織や朱子織、その他複雑な模様を織るには、１本１本の経糸Ｂの上下をより細かくコントロールする必要があり、適宜それに応じた織り方にしても良いものである。【００３４】  布地を織る前には、準備作業として次のような作業を行うことになる。
ａ）整経：  数百本におよぶ経糸Ｂを、整経台に順番どおり巻いてゆき、２０本などごとに糸でまとめてばらつかないよう揃えてゆく。
ｂ）仮筬：  整経台から外した経糸Ｂの束を筬６に一本ずつ通して筬６の幅にそろえ、経糸Ｂを通した筬６を織機の所定位置にはめる。
ｃ）ビーミング：  経糸Ｂを経糸ビーム１へ、均等な力でゆるまないように巻いてゆく。
ｄ）綜絖通し：  綜絖４を並べて織機に配置し、設計図の通りに経糸Ｂが緯糸Ｃと織り込まれるよう、経糸Ｂを一本一本綜絖４の目４０１に通してゆく。
ｅ）筬通し：  仮筬のときと同様、経糸Ｂを筬６に通す。
ｆ）タイアップ：  組織図どおりに布地Ｄが織れるように、綜絖４の綜絖部５０と操作体５の踏み板５０を連結する。
ｇ）経糸結び：  経糸Ｂの束を経糸Ｂの張りを確かめながらクロスビーム２に結ぶ。
ｈ）緯糸巻き：  緯糸Ｃの一方を小管に紡錘型に巻き、巻いた小管を杼３の中にセットする。
これらが終わった後に織り始めを行い、織り終われば両端を切断し、端の経糸Ｂを数本ずつ巻いてフリンジにするなどの始末を行う。【００３５】  本考案を実施するための形態について、手織りの織機について述べたが、自動織機に適用可能なものであり、自動織機に応じた変更は適宜できるものである。
【符号の説明】
【００３６】Ａ  織機
Ｂ  経糸
Ｃ  緯糸
Ｄ  布地
１  経糸ビーム
２  クロスビーム
３  杼
４  綜絖
５  操作体
５０  踏み板
６  筬
７  支持枠体
８  ボビン支持体
８１  ボビン立設ピン
９  経糸整列体
９１  網目
１０  調整体
１０１  波形状板体
１０２  挟持支持板体
１１  ボビン
１１１  筒体
１２  第二の経糸整列体
１２１  整列網目部
１３  制動部
【図１】
0003160596.tif 000003
【図２】
0003160596.tif 000004
【図３】
0003160596.tif 000005